(57)【要約】【課題】収納容器本体に、文字、模様、人物、風景等の表示が形成されたプレートを着脱可能に取り付け、購入者に趣味感・収集感を与え、購買意欲を高めた、興趣ある小型収納容器を提供する。【解決手段】小型収納容器１は、ラムネ、ガム、チョコレート等の菓子又は錠剤等の物品を収納する矩形箱状の収納容器本体２と、この収納容器本体２の一つの側面５に着脱可能に取り付けられたプレート４０とからなる。プレート４０は、表面４１に文字、模様、人物、風景等の表示４２が形成されており、その表示４２が見られるように収納容器本体２に取り付けられている。【選択図】　　　　図１
2004059130.tif 000002
【特許請求の範囲】
【請求項１】
物品を収納する収納容器本体と、この収納容器本体の一つの側面に着脱可能に取り付けられたプレートとからなることを特徴とする小型収納容器。
【請求項２】
収納容器本体はカバー体と物品を収納するケースとからなり、プレートはカバー体又はケースの一つの側面に着脱可能に取り付けられていることを特徴とする請求項１記載の小型収納容器。
【請求項３】
ケースは、カバー体に引き出し自在に設けられていることを特徴とする請求項２記載の小型収納容器。
【請求項４】
カバー体は、少なくとも正面板と、正面板の裏面両側に設けられた側面板とを有し、正面板と両側面板とによってケースを前方から引き出し自在に収容するようになっており、正面板の表面側にプレートが着脱可能に取り付けられていることを特徴とする請求項３記載の小型収納容器。
【請求項５】
プレートは、表面に文字、模様、人物、風景等の表示が形成されており、その表示が見られるように収納容器本体に取り付けられていることを特徴とする請求項１乃至４のいずれか１項に記載の小型収納容器。
【請求項６】
正面板には、プレートの端縁を案内する案内壁が形成され、さらに案内壁には、プレートの端縁表面を摺動自在に案内する案内突起が形成されていることを特徴とする請求項４又は５記載の小型収納容器。
【請求項７】
案内壁は、これと対向する案内壁との間隔が一方にいくに従って狭くなるように形成され、プレートの端縁を圧接するようになっていることを特徴とする請求項６記載の小型収納容器。
【請求項８】
案内突起と正面板の間隔が一方にいくに従って狭くなるように形成され、プレートの端縁が挟持されるようになっていることを特徴とする請求項６記載の小型収納容器。
【請求項９】
案内壁には、プレートの端縁を圧接する圧接突起が形成されていることを特徴とする請求項６記載の小型収納容器。
【請求項１０】
プレートには、係止孔が形成され、正面板には、プレートの係止孔を係脱する係止突起が形成されていることを特徴とする請求項４、５又は６記載の小型収納容器。
【請求項１１】
正面板には、少なくとも２本のガイド凸起が案内壁と略平行に延設されていることを特徴とする請求項６記載の小型収納容器。
【請求項１２】
ガイド凸起と案内壁の案内突起の間隔が一方にいくに従って狭くなるように形成され、プレートの端縁が圧接されるようになっていることを特徴とする請求項１１記載の小型収納容器。
【発明の詳細な説明】
【０００１】
【発明の属する技術分野】
本願発明は、ラムネ、ガム、チョコレート等の菓子又は錠剤等の物品を取り出し可能に収納した小型収納容器に関するものである。
【０００２】
【従来の技術】
従来、ラムネ、ガム、チョコレート等の菓子又は錠剤等の物品を取り出し可能に収納した小型収納容器として、特開平１１−１０５９４９号公報に開示されているようなものが存在した。この小型収納容器は、カバー体と物品を収納するケースとからなり、カバー体にケースが引き出し自在に設けられている。
【０００３】
【発明が解決しようとする課題】
上記従来の小型収納容器は、カバー体からケースを引き出して、ケースに収納されている物品を取り出せるようになっている。この小型収納容器は、機能的に作られているが、興趣に欠けるという問題点があった。
【０００４】
本願発明は、上記問題点に鑑み発明されたものであって、収納容器本体に、文字、模様、人物、風景等の表示が形成されたプレートを着脱可能に取り付け、購入者に趣味感・収集感を与え、購買意欲を高めた、興趣ある小型収納容器を提供することを目的とする。
【０００５】
【課題を解決するための手段】
本願請求項１記載の小型収納容器は、上記目的を達成するため、物品を収納する収納容器本体と、この収納容器本体の一つの側面に着脱可能に取り付けられたプレートとからなる。
【０００６】
本願請求項２記載の小型収納容器は、上記収納容器本体がカバー体と物品を収納するケースとからなり、プレートがカバー体又はケースの一つの側面に着脱可能に取り付けられている。
【０００７】
本願請求項３記載の小型収納容器は、上記ケースが、カバー体に引き出し自在に設けられている。
【０００８】
本願請求項４記載の小型収納容器は、上記カバー体が、少なくとも正面板と、正面板の裏面両側に設けられた側面板とを有し、正面板と両側面板とによってケースを前方から引き出し自在に収容するようになっており、正面板の表面側にプレートが着脱可能に取り付けられている。
【０００９】
本願請求項５記載の小型収納容器は、上記プレートが、表面に文字、模様、人物、風景等の表示が形成されており、その表示が見られるように収納容器本体に取り付けられている。
【００１０】
本願請求項６記載の小型収納容器は、上記正面板に、プレートの端縁を案内する案内壁が形成され、さらに案内壁には、プレートの端縁表面を摺動自在に案内する案内突起が形成されている。
【００１１】
本願請求項７記載の小型収納容器は、上記案内壁が、これと対向する案内壁との間隔が一方にいくに従って狭くなるように形成され、プレートの端縁を圧接するようになっている。
【００１２】
本願請求項８記載の小型収納容器は、上記案内突起と正面板の間隔が一方にいくに従って狭くなるように形成され、プレートの端縁が挟持されるようになっている。
【００１３】
本願請求項９記載の小型収納容器は、上記案内壁に、プレートの端縁を圧接する圧接突起が形成されている。
【００１４】
本願請求項１０記載の小型収納容器は、上記プレートに係止孔が形成され、正面板にプレートの係止孔を係脱する係止突起が形成されている。
【００１５】
本願請求項１１記載の小型収納容器は、上記正面板に、少なくとも２本のガイド凸起が案内壁と略平行に延設されている。
【００１６】
本願請求項１２記載の小型収納容器は、上記ガイド凸起と案内壁の案内突起の間隔が一方にいくに従って狭くなるように形成され、プレートの端縁が圧接されるようになっている。
【００１７】
【発明の実施の形態】
本願発明に係る小型収納容器の実施の形態を、図１乃至図８に基づいて説明する。図１は、本願発明に係る小型収納容器の一つの実施の形態を示す全体斜視図である。図２は、図１における小型収納容器の全体正面図である。図３は、図１における小型収納容器のプレートを外した状態を示す全体斜視図である。図４は、図３における小型収納容器のケースを引き出した状態を示す全体斜視図である。図５は、図１における小型収納容器の分解斜視図である。
【００１８】
図６は、本願発明に係る小型収納容器の他の実施の形態を示す全体斜視図である。図７は、図６における小型収納容器のプレートを引き出した状態を示す全体斜視図である。図８は、本願発明に係る小型収納容器の他の実施の形態を示す要部説明図である。図９は、本願発明に係る小型収納容器の他の実施の形態を示す全体斜視図である。図１０は、図９における小型収納容器のプレートを引き出した状態を示す全体斜視図である。
【００１９】
小型収納容器１の全体構成について説明する。小型収納容器１は、ラムネ、ガム、チョコレート等の菓子又は錠剤等の物品を収納する収納容器本体２と、この収納容器本体２の一つの側面（正面板）５に着脱可能に取り付けられたプレート４０とからなる。収納容器本体２は、カバー体３と上記物品を収納するケース２１とからなる。プレート４０は、カバー体３又はケース２１の一つの側面（正面板）５に着脱可能に取り付けられている。
【００２０】
ケース２１は、カバー体３に引き出し自在に設けられている。カバー体３は、少なくとも正面板５と、正面板５の裏面５ｂ両側に設けられた側面板６，７とを有し、正面板５と両側面板６，７とによってケース２１を前方９から引き出し自在に収容するようになっており、正面板５の表面５ａ側にプレート４０が着脱可能に取り付けられている。
【００２１】
プレート４０は、表面４１に文字、模様、人物、風景等の表示４２が形成されており、その表示４２が見られるように収納容器本体２に取り付けられている。
正面板５には、プレート４０の端縁４５，４６を案内する案内壁５１，５２と、プレート４０の一端（後端縁）４７を当接する当接壁５３とが形成され、さらに案内壁５１，５２には、プレート４０の端縁４５，４６表面４１を摺動自在に案内する案内突起５５，５６が形成されている。
【００２２】
案内突起５５，５６と正面板５の間隔が一方（当接壁５３側）にいくに従って狭くなるように形成され、プレート４０の端縁４５，４６が挟持されるようになっている。なお、案内壁５１，５２には、図８に示すように、プレート４０の端縁４５，４６を圧接する圧接突起６１，６２が形成されても構わない。また、案内壁５１は、これと対向する案内壁５２との間隔が一方（当接壁５３側）にいくに従って狭くなるように形成され、プレート４０の端縁４５，４６を圧接するようになっても構わない。
【００２３】
プレート４０には、係止孔４３が形成され、正面板５には、プレート４０の係止孔４３を係脱する係止突起５８が形成されている。また、上記正面板５には、図９，１０に示すように、少なくとも２本のガイド凸起８１，８２が案内壁７１，７２と略平行に延設されているようにしても構わない。上記ガイド凸起８１，８２と案内壁７１，７２の案内突起７５，７６の間隔が一方（当接壁５３側）にいくに従って狭くなるように形成され、プレート４０の端縁４５，４６が圧接されるようになっても良い。
【００２４】
小型収納容器１についてさらに詳細に説明する。収納容器本体２は、矩形箱状に形成され、カバー体３とケース２１とからなる。カバー体３は、矩形箱状に形成され、正面板５と、正面板５の裏面５ｂ右側に設けられた右側面板６と、正面板５の裏面５ｂ左側に設けられた左側面板７と、正面板５の裏面５ｂ後側に設けられた後面板８とからなり、合成樹脂によって一体成形され、前面部９が開放されている。右側面板６は、下端に、内側に向かって突出するガイド縁１１が形成され、前部に、矩形状の嵌合凹部１２が形成されている。
【００２５】
左側面板７は、下端に、内側に向かって突出するガイド縁１３が形成され、前部に、矩形状の嵌合凹部１５が形成されている。後面板８の略中央部には、略台形状の切り欠き部１６が形成されている。正面板５の裏面５ｂ略中央後部には、係合突起１７が形成されている。係合突起１７は、前側に傾斜部１９が形成され、後側に垂直部２０が形成されている。
【００２６】
ケース２１は、矩形箱状に形成され、背面板２２と、背面板２２の正面右側に設けられた右側面板２３と、背面板２２の正面左側に設けられた左側面板２５と、背面板２２の正面後側に設けられた後面板２６と、背面板２２の正面前側に設けられた前面板２７とからなり、合成樹脂によって一体成形されている。
【００２７】
右側面板２３は、下端に、前記カバー体３のガイド縁１１に摺動自在に案内されるガイド凹部２９が形成され、前部に、カバー体３の嵌合凹部１２に嵌合する嵌合凸部３０が形成されている。左側面板２５は、下端に、前記カバー体３のガイド縁１３に摺動自在に案内されるガイド凹部３１が形成され、前部に、カバー体３の嵌合凹部１５に嵌合する嵌合凸部３２が形成されている。ケース２１は、前方内部が略Ｌ字状の仕切板３３によって、物品を一つずつ取り出せる取出部３５が形成されている。
【００２８】
ケース２１は、カバー体３の開放された前面部９から差し込むと、右側面板２３のガイド凹部２９がカバー体３のガイド縁１１に摺動自在に案内され、左側面板２５のガイド凹部３１がカバー体３のガイド縁１３に摺動自在に案内され、右側面板２３の嵌合凸部３０がカバー体３の嵌合凹部１２に嵌合し、左側面板２５の嵌合凸部３２がカバー体３の嵌合凹部１５に嵌合して、カバー体３内に収納される。
【００２９】
ケース２１は、上記収納時に、後面板２６の上端縁３７が係合突起１７の傾斜部１９を乗り越えるが、乗り越えると上端縁３７が係合突起１７の垂直部２０に係合するので、カバー体３の後面板８と係合突起１７の範囲内でしか移動することができない。係る移動の制限により、図４に示すように、カバー体３の前面部９から取出部３５しか引き出せない。
【００３０】
プレート４０は、硬質合成樹脂板、金属板、紙等によって、矩形状に形成され、表面４１に文字、模様、人物、風景等の表示４２が形成され、後部略中央に係止孔４３が形成されている。なお。プレート４０の形状は、矩形状に限定されるものではなく、円形状、多角形状等の種々の形状に変更可能なのは勿論である。
【００３１】
カバー体３の正面板５には、前記プレート４０を着脱自在に取り付ける取付部５０が形成されている。取付部５０は、正面板５の表面５ａ右側に一体的に設けられた右案内壁５１と、正面板５の表面５ａ左側に一体的に設けられた左案内壁５２と、正面板５の表面５ａ後側に一体的に設けられた当接壁５３とからなる。
【００３２】
さらに右案内壁５１には、プレート４０の右端縁４５表面４１を摺動自在に案内する右案内突起５５が形成され、左案内壁５２には、プレート４０の左端縁４６表面４１を摺動自在に案内する左案内突起５６が形成されている。さらに当接壁５３には、プレート４０の後端縁４７表面４１を摺動自在に案内する後案内突起５７が形成されている。また、正面板５の表面５ａ後方中央部には、プレート４０の係止孔４３を係脱する係止突起５８が形成されている。
【００３３】
正面板５の大きさは、プレート４０が取り付けられる程度の大きさに形成されており、右案内壁５１と左案内壁５２との間隔は、プレート４０の短手方向の長さと略等しくなっている。さらに右案内突起５５と正面板５の表面５ａとの間隔、左案内突起５６と正面板５の表面５ａとの間隔及び後案内突起５７と正面板５の表面５ａとの間隔は、プレート４０の厚みと略等しくなっている。
【００３４】
プレート４０は、これをカバー体３の取付部５０に前部から一方に向かって差し込むと、右端縁４５が右案内壁５１に案内され、左端縁４６が左案内壁５２に案内され、後端縁４７が当接壁５３に当接して、取付部５０に取り付けられる。
この差し込み時に、プレート４０は、若干撓んでから、係止孔４３が正面板５の係止突起５８に係止される。そのため、プレート４０は、カバー体３から容易に引き出せないようになっており、係止孔４３と係止突起５８の係止力以上の力によって、引き出される。なお、この係止力以上の力とは、親指等でプレート４０を強く押し出せる程度のものである。プレート４０は、紐等を係止孔４３に通してまとめる等、この係止孔４３を係止以外に利用することができる。
【００３５】
なお、上記したように、係止孔４３と係止突起５８を係止させてプレート４０を引き出し難くしたが、これ以外に以下の方法もある。右案内突起５５と左案内突起５６を、これらと正面板５の表面５ａとの間隔が当接壁５３側（一方）にいくに従って狭くなるように設けると、右案内突起５５と左案内突起５６がプレート４０の右端縁４５と左端縁４６を挟持するので、プレート４０が容易に引き出せなくなる。
【００３６】
また、図８に示すように、右案内壁５１と左案内壁５２に、プレート４０の右端縁４５及び左端縁４６を圧接する圧接突起６１，６２を形成してもプレート４０が容易に引き出せなくなる。さらにまた、右案内壁５１と、これと対向する左案内壁５２との間隔を当接壁５３側（一方）にいくに従って狭くなるように形成すると、右案内壁５１と左案内壁５２がプレート４０の右端縁４５及び左端縁４６を圧接するので、プレート４０が容易に引き出せなくなる。
【００３７】
上記実施の形態では、プレート４０の引き出す方向が、ケース２１の引き出す方向と同じ前部方向であるように説明したが、とくにこれに限定するものではなく、図６，７に示すように、ケース２１の引き出す方向と直交する方向、例えば左方向に引き出せるようにし、プレート４０がケース２１と共に引き出されるのを防止するようにしても構わない。
【００３８】
カバー体３の正面板５に形成された、プレート４０を着脱自在に取り付ける取付部７０は、正面板５の表面５ａ前側に一体的に設けられた前案内壁７１と、正面板５の表面５ａ後側に一体的に設けられた後案内壁７２と、正面板５の表面５ａ右側に一体的に設けられた当接壁７３とからなる。
【００３９】
さらに前案内壁７１には、プレート４０の前端縁４８表面４１を摺動自在に案内する前案内突起７５が形成され、後案内壁７２には、プレート４０の後端縁４７表面４１を摺動自在に案内する後案内突起７６が形成されている。さらに当接壁７３には、プレート４０の右端縁４５表面４１を摺動自在に案内する右案内突起７７が３カ所に形成されている。
【００４０】
前案内壁７１と後案内壁７２との間隔は、プレート４０の長手方向の長さと略等しくなっている。さらに前案内突起７５と正面板５の表面５ａとの間隔、後案内突起７６と正面板５の表面５ａとの間隔及び右案内突起７７と正面板５の表面５ａとの間隔は、プレート４０の厚みと略等しくなっている。
【００４１】
プレート４０は、これをカバー体３の取付部７０に左部から一方に向かって差し込むと、前端縁４８が前案内壁７１に案内され、後端縁４７が後案内壁７２に案内され、右端縁４５が当接壁７３に当接して、取付部７０に取り付けられる。
プレート４０は、引き出す方向が、ケース２１の引き出す方向と直交する左方向であり、ケース２１と共に引き出されるのを防止することができる。
【００４２】
なお、上記正面板５に、図９，１０に示すように、少なくとも２本のガイド凸起８１，８２を案内壁７１，７２と略平行に延設しても構わない。ガイド凸起８１，８２は、矩形板状に形成されているが、その形状に限定されるものではない。このガイド凸起８１，８２によりカバー体３の成形が容易になる。このように形成すると、プレート４０がガイド凸起８１，８２上を摺動するので、スムーズに引き出すことができる。
【００４３】
また、ガイド凸起８１，８２を若干傾斜させて、前側のガイド凸起８１と前案内壁７１の前案内突起７５との間隔を当接壁７３側（一方）にいくに従って狭くなるように形成し、同様に後側のガイド凸起８２と後案内壁７２の後案内突起７６との間隔を当接壁７３側（一方）にいくに従って狭くなるように形成すると、プレート４０の前端縁４８表面４１が前案内突起７５に圧接し、プレート４０の後端縁４７表面４１が後案内突起７６に圧接するのでプレート４０が容易に引き出せなくなる。なお、図９，１０に示すように、前案内壁７１と当接壁７３の角部８３及び後案内壁７２と当接壁７３の角部８４を形成しなくても構わない。
【００４４】
【発明の効果】
以上説明してきたように、本願発明に係る小型収納容器は、収納容器本体からラムネ、ガム、チョコレート等の菓子又は錠剤等の物品を取り出して食することができる他、文字、模様、人物、風景等の表示が形成されたプレートが着脱可能に取り付けられているので、購買者に趣味感、娯楽感、プレートの収集感を与え、購買意欲を高めることができ、従来の機能的な容器に比べ興趣あるものにすることができるという効果がある。
【図面の簡単な説明】
【図１】本願発明に係る小型収納容器の一つの実施の形態を示す全体斜視図である。
【図２】図１における小型収納容器の全体正面図である。
【図３】図１における小型収納容器のプレートを外した状態を示す全体斜視図である。
【図４】図３における小型収納容器のケースを引き出した状態を示す全体斜視図である。
【図５】図１における小型収納容器の分解斜視図である。
【図６】本願発明に係る小型収納容器の他の実施の形態を示す全体斜視図である。
【図７】図６における小型収納容器のプレートを装着した状態を示す全体斜視図である。
【図８】本願発明に係る小型収納容器の他の実施の形態を示す要部説明図である。
【図９】本願発明に係る小型収納容器の他の実施の形態を示す全体斜視図である。
【図１０】図９における小型収納容器のプレートを引き出した状態を示す全体斜視図である。
【符号の説明】
１　小型収納容器
２　収納容器本体
３　カバー体
５　正面板
５ａ　表面
５ｂ　裏面
６　右側面板
７　左側面板
８　後面板
９　前面部（前方）
１１　ガイド縁
１２　嵌合凹部
１３　ガイド縁
１５　嵌合凹部
１６　切り欠き部
１７　係合突起
１９　傾斜部
２０　垂直部
２１　ケース
２２　背面板
２３　右側面板
２５　左側面板
２６　後面板
２７　前面板
２９　ガイド凹部
３０　嵌合凸部
３１　ガイド凹部
３２　嵌合凸部
３３　仕切板
３５　取出部
３７　上端縁
４０　プレート
４１　表面
４２　表示
４３　係止孔
４５　右端縁
４６　左端縁
４７　後端縁
４８　前端縁
５０　取付部
５１　右案内壁
５２　左案内壁
５３　当接壁
５５　右案内突起
５６　左案内突起
５７　後案内突起
５８　係止突起
６１　圧接突起
６２　圧接突起
７０　取付部
７１　前案内壁
７２　後案内壁
７３　当接壁
７５　前案内突起
７６　後案内突起
７７　右案内突起
８１　ガイド凸起
８２　ガイド凸起
８３　角部
８４　角部
【図１】
2004059130.tif 000003
【図２】
2004059130.tif 000004
【図３】
2004059130.tif 000005
【図４】
2004059130.tif 000006
【図５】
2004059130.tif 000007
【図６】
2004059130.tif 000008
【図７】
2004059130.tif 000009
【図８】
2004059130.tif 000010
【図９】
2004059130.tif 000011
【図１０】
2004059130.tif 000012